【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
複数の表示ブロックを含み、前記各表示ブロックに複数のゲートラインと、複数のデータラインと、各々前記ゲートライン及びデータラインにカップリングした複数の画素を含む液晶パネルと、
データと電荷共有制御信号を含む統合信号を供給するタイミングコントローラと、
前記複数の表示ブロックに各々対応し、前記タイミングコントローラと点対点（ｐｏｉｎｔ−ｔｏ−ｐｏｉｎｔ）方式でカップリングし前記統合信号の供給を受けて電荷共有期間内に対応する表示ブロック内の複数のデータラインを互いに短絡させる複数のデータ駆動チップとを有し、
前記複数のデータ駆動チップのうち少なくとも２個のデータ駆動チップの前記電荷共有期間を互いに異なるように調節することを特徴とする液晶表示装置。
【請求項２】
電源電圧を発生する電源電圧発生器をさらに含み、
前記複数のデータ駆動チップと前記電源電圧発生器は互いにカスケード方式でカップリングされることを特徴とする請求項１に記載の液晶表示装置。
【請求項３】
前記複数のデータ駆動チップは第１及び第２データ駆動チップを含み、前記第２データ駆動チップは前記第１データ駆動チップを通して前記電源電圧の供給を受け、
前記第２データ駆動チップは前記第１データ駆動チップより前記電荷共有期間を短く調節することを特徴とする請求項２に記載の液晶表示装置。
【請求項４】
前記各データ駆動チップは前記電源電圧発生器から前記電源電圧の供給を受け、前記対応するデータラインを駆動するための画像データ電圧を生成することを特徴とする請求項２に記載の液晶表示装置。
【請求項５】
前記各データ駆動チップは、
前記統合信号の供給を受けて電荷共有信号を供給するデコーディング部と、
前記複数のデータラインの間に形成されて前記電荷共有信号に応答して前記複数のデータラインを互いに短絡させる複数のスイッチング素子からなる電荷共有部を含むことを特徴とする請求項１に記載の液晶表示装置。
【請求項６】
前記統合信号はシングルエンドシグナルであることを特徴とする請求項１に記載の液晶表示装置。
【請求項７】
前記タイミングコントローラと前記複数のデータ駆動チップは電流駆動方式を利用して通信することを特徴とする請求項１又は６に記載の液晶表示装置。
【請求項８】
前記複数のデータ駆動チップは前記液晶パネル上にＣＯＧ（Ｃｈｉｐ  Ｏｎ  Ｇｌａｓｓ）方式で実装されていることを特徴とする請求項１に記載の液晶表示装置。
【請求項９】
第１及び第２表示ブロックを含み、前記各表示ブロックに複数のゲートラインと、複数のデータラインと、各々前記ゲートライン及びデータラインにカップリングされた複数の画素を含む液晶パネルと、
前記第１及び第２表示ブロックに各々対応する第１及び第２データ駆動チップを有し、
前記第１データ駆動チップは前記第１表示ブロックに含まれた複数のデータラインを第１期間の間に互いに短絡させた後前記第１表示ブロックに含まれた前記複数のデータラインに画像データ電圧を印加し、
前記第２データ駆動チップは前記第２表示ブロックに含まれた複数のデータラインを前記第１期間と異なる第２期間の間互いに短絡させた後前記第２表示ブロックに含まれた前記複数のデータラインに画像データ電圧を印加することを特徴とする液晶表示装置。
【請求項１０】
前記第１データ駆動チップに第１電荷共有信号を供給し、前記第２データ駆動チップに前記第１電荷共有信号と異なる第２電荷共有信号を供給するタイミングコントローラをさらに含むことを特徴とする請求項９に記載の液晶表示装置。
【請求項１１】
前記タイミングコントローラはデータと第１電荷共有信号を含む第１統合信号を第１データ駆動チップに供給し、データと第２電荷共有信号を含む第２統合信号を第２データ駆動チップに供給し、
前記第１及び第２統合信号はシングルエンドシグナルであることを特徴とする請求項１０に記載の液晶表示装置。
【請求項１２】
前記第１及び第２データ駆動チップと前記タイミングコントローラと点対点（ｐｏｉｎｔ−ｔｏ−ｐｏｉｎｔ）方式でカップリングされることを特徴とする請求項１０に記載の液晶表示装置。
【請求項１３】
前記タイミングコントローラと前記第１及び第２データ駆動チップは電流駆動方式を利用して通信することを特徴とする請求項１０に記載の液晶表示装置。
【請求項１４】
前記第１及び第２データ駆動チップに電源電圧を発生する電源電圧発生器をさらに含み、
前記第１及び第２データ駆動チップと前記電源電圧発生器は互いにカスケード方式でカップリングされ、
前記第２データ駆動チップは、前記第２データ駆動チップによって前記電源電圧の供給を受け、前記第２期間は前記第１期間より短いことを特徴とする請求項９に記載の液晶表示装置。
【請求項１５】
前記第１及び第２データ駆動チップは前記液晶パネル上にＣＯＧ（Ｃｈｉｐ  Ｏｎ  Ｇｌａｓｓ）方式で実装されていることを特徴とする請求項９に記載の液晶表示装置。
【手続補正２】
【補正対象書類名】明細書
【補正対象項目名】０００７
【補正方法】変更
【補正の内容】
【０００７】
また、上記目的を達成するためになされた本発明による液晶表示装置は、第１及び第２表示ブロックを含み、前記各表示ブロックに複数のゲートラインと、複数のデータラインと、各々前記ゲートライン及びデータラインにカップリングされた複数の画素を含む液晶パネルと、前記第１及び第２表示ブロックに各々対応する第１及び第２データ駆動チップを有し、前記第１データ駆動チップは前記第１表示ブロックに含まれた複数のデータラインを第１期間の間に互いに短絡させた後前記第１表示ブロックに含まれた前記複数のデータラインに画像データ電圧を印加し、前記第２データ駆動チップは前記第２表示ブロックに含まれた複数のデータラインを前記第１期間と異なる第２期間の間互いに短絡させた後前記第２表示ブロックに含まれた前記複数のデータラインに画像データ電圧を印加することを特徴とする。
前記液体表示装置は前記第１データ駆動チップに第１電荷共有信号を供給し、前記第２データ駆動チップに前記第１電荷共有信号と異なる第２電荷共有信号を供給するタイミングコントローラをさらに含むことが好ましい。
前記タイミングコントローラはデータと第１電荷共有信号を含む第１統合信号を第１データ駆動チップに供給し、データと第２電荷共有信号を含む第２統合信号を第２データ駆動チップに供給し、前記第１及び第２統合信号はシングルエンドシグナルであることことが好ましい。
前記第１及び第２データ駆動チップと前記タイミングコントローラと点対点（ｐｏｉｎｔ−ｔｏ−ｐｏｉｎｔ）方式でカップリングされることが好ましい。
前記タイミングコントローラと前記第１及び第２データ駆動チップは電流駆動方式を利用して通信することが好ましい。
前記第１及び第２データ駆動チップに電源電圧を発生する電源電圧発生器をさらに含み、前記第１及び第２データ駆動チップと前記電源電圧発生器は互いにカスケード方式でカップリングされ、前記第２データ駆動チップは、前記第２データ駆動チップによって前記電源電圧の供給を受け、前記第２期間は前記第１期間より短いことが好ましい。
前記第１及び第２データ駆動チップは前記液晶パネル上にＣＯＧ（Ｃｈｉｐ  Ｏｎ  Ｇｌａｓｓ）方式で実装されていることが好ましい。